(57)【特許請求の範囲】
【請求項１】
箱本体と、
前記箱本体に貫通して設けられた平面視四角形の部品収容孔と、
前記部品収容孔に対応した平面視四角形を有し、下方側に電線が接続された、前記部品収容孔に収容される部品と、
前記部品の外側壁に突設されたロック部と、
前記部品収容孔の内側壁に設けられた被ロック部と、
を有し、
前記ロック部を前記被ロック部に差し込み係合させて、前記部品を前記部品収容孔に固定する、電気接続箱における部品の取付構造であって、
前記被ロック部は、前記部品収容孔の前記四角形の第１の辺に沿った前記内側壁に前記第１の辺の長さより短い幅で設けられ、
前記ロック部は、前記部品の前記四角形の第１の辺に沿った前記外側壁に前記第１の辺の長さより短い幅で設けられ、
前記部品収容孔の前記第１の辺に対向する第２の辺に沿った前記内側壁には、前記部品の前記ロック部の通過を許す凹部が、前記第２の辺の長さより短い幅で形成され、且つ、当該第２の辺の長さの範囲内における前記凹部の両側の前記壁面が、前記部品の前記外側壁を支える壁面として、前記部品収容孔の内側へ張り出しており、
前記部品を正規の取付向きと反対の向きに回転させた姿勢で、前記部品の前記ロック部を前記部品収容孔の前記凹部を通過させて、前記部品収容孔の下方側から上方側に貫通させ、その上で、前記部品を正規の取付向きに戻して、前記部品収容孔に上方側から下方側に向けて挿入し、前記ロック部を前記被ロック部に差し込み係合させることを特徴とする電気接続箱における部品の取付構造。
【請求項２】
前記部品が、別の電気部品を装着するためのカセットであることを特徴とする請求項１に記載した電気接続箱における部品の取付構造。
【発明の詳細な説明】
【技術分野】
【０００１】
本発明は、リレーボックス等の電気接続箱における部品の取付構造に関する。
【背景技術】
【０００２】
例えば、自動車の電気接続箱にフラッシャー・リレー（ウインカーを点滅させるリレー）を取り付ける場合、接続箱本体の外壁面にカセットを装着し、そのカセットにフラッシャー・リレーを後から装着することが行なわれている。接続箱本体の外壁面にカセットを外付けするのは、組み付け工程などの都合により、カセットの下部に電線が接続された状態のまま、カセットを接続箱本体に取り付ける必要があったからである。しかし、このような条件によりカセットを外付けした場合、カセットに外力が加わりやすいので、好ましくない。
【０００３】
そこで、通常の電気部品のように、接続箱本体の内側に部品の収容部を設け、外力が直接カセットに加わらないようにすることが考えられる（例えば、特許文献１参照）。しかしながら、下側に電線が付いたままのカセットを、接続箱本体の内側に設けた部品収容部に取り付けることは実際上は困難であり、工夫が求められていた。
【０００４】
【特許文献１】実開平６−８４７３２号公報
【発明の開示】
【発明が解決しようとする課題】
【０００５】
本発明は、上述した事情に鑑みてなされたものであり、例えば下側に電線がついたままの部品を、接続箱本体に外付けせずに、接続箱本体の内側に設けた部品収容孔に取り付けることのできる電気接続箱における部品の取付構造を提供することを目的とする。
【課題を解決するための手段】
【０００６】
前述した目的を達成するため、本発明に係る電気接続箱における部品の取付構造は、下記（１）、（２）を特徴としている。
（１）  箱本体と、
前記箱本体に貫通して設けられた平面視四角形の部品収容孔と、
前記部品収容孔に対応した平面視四角形を有し、下方側に電線が接続された、前記部品収容孔に収容される部品と、
前記部品の外側壁に突設されたロック部と、
前記部品収容孔の内側壁に設けられた被ロック部と、
を有し、
前記ロック部を前記被ロック部に差し込み係合させて、前記部品を前記部品収容孔に固定する、電気接続箱における部品の取付構造であって、
前記被ロック部は、前記部品収容孔の前記四角形の第１の辺に沿った前記内側壁に前記第１の辺の長さより短い幅で設けられ、
前記ロック部は、前記部品の前記四角形の第１の辺に沿った前記外側壁に前記第１の辺の長さより短い幅で設けられ、
前記部品収容孔の前記第１の辺に対向する第２の辺に沿った前記内側壁には、前記部品の前記ロック部の通過を許す凹部が、前記第２の辺の長さより短い幅で形成され、且つ、当該第２の辺の長さの範囲内における前記凹部の両側の前記壁面が、前記部品の前記外側壁を支える壁面として、前記部品収容孔の内側へ張り出しており、
前記部品を正規の取付向きと反対の向きに回転させた姿勢で、前記部品の前記ロック部を前記部品収容孔の前記凹部を通過させて、前記部品収容孔の下方側から上方側に貫通させ、その上で、前記部品を正規の取付向きに戻して、前記部品収容孔に上方側から下方側に向けて挿入し、前記ロック部を前記被ロック部に差し込み係合させること。
（２）上記（１）の構成の電気接続箱における部品の取付構造において、前記部品が、別の電気部品を装着するためのカセットであること。
【０００７】
上記（１）の構成の電気接続箱における部品の取付構造によれば、部品収容孔の凹部の位置に部品のロック部を合わせることで、部品を部品収容孔に一方側から他方側へ向けて貫通させることができる。次いで、箱本体の他方側へ抜けた部品の向きを、箱本体の他方側において正規の取付向きに向き直して、その状態で部品を他方側から部品収容孔に挿入し、部品の外側壁に突設したロック部を、部品収容孔の内側壁に設けた被ロック部に差し込み係合させる。それにより、部品を箱本体の部品収容孔に取り付けることができる。この状態において、凹部の両側の壁面が部品を支える壁面として内側に張り出しているので、部品と部品収容孔の間に無用な隙間ができなくなる。従って、ロック部で部品が片持支持されている場合は、ロック部と反対側に無用な隙間ができ、その隙間分だけ動き代があることによって、ロック部を支点として部品が回転してしまい、その結果、ロック部に過大な力が作用して、最悪の場合、ロック部が破損するおそれが考えられるが、前記の無用の隙間がなくなることにより、部品の動き代を無くすことができ、それによりロック部に過大な力が加わるのを防ぐことができる。
また、被ロック部を設けた部品収容孔の内側壁と対向する内側壁に、部品のロック部の通過する凹部を設けたので、部品の向きを正規の取付向きから１８０度回転させた姿勢で、部品を部品収容孔に一方側から他方側へ向けて貫通させ、他方側に抜けた段階で、部品の向きを向き直すことにより、ロック部を被ロック部に差し込み係合させることができる。また、部品を取り付けた状態において、ロック部のある側と反対側の壁面の一部（凹部の両側の壁面）が部品をバックアップするので、ロック部で片持支持されている部品を安定保持することができ、それにより、ロック部に過大な力が加わるのを防ぐことができる。
上記（２）の構成の電気接続箱における部品の取付構造によれば、部品の一方側に電線が接続されている状態のまま、カセットを部品収容孔に貫通させて、反対側から差し込み係合させ、固定することができる。そして、その上でカセットに別の部品を装着することができる。その際、片持状態であってもカセットを安定して保持できるので、別の部品をカセットに装着する際に過大な力が加わっても、ロック部が破損するようなことがない。
【発明の効果】
【０００８】
本発明によれば、例えば下側に電線がついたままの部品を、接続箱本体に外付けせずに、接続箱本体の内側に設けた部品収容孔に取り付けることができる。
【０００９】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１０】
以下、本発明の実施形態を図面を参照しながら説明する。
【００１１】
図１、図２は本発明の実施形態の説明図、図３、図４はその比較例の説明図である。
ここでは、フラッシャー・リレー（別の電気部品）を装着するためのカセット（部品）を、リレーボックス（電気接続箱）に取り付ける場合の例を実施形態として説明する。
【００１２】
まず、図３、図４を用いて比較例を説明する。図において、１０は箱本体、２０はカセット、３０はカセット２０の下部に接続された電線である。箱本体１０の外周壁より内側には、貫通した部品収容孔１１が設けられており、カセット２０はこの部品収容孔１１に所定の向きで収容され固定される。その固定手段として、カセット２０の外側壁にはロック部２２が突設され、部品収容孔１１の内側壁には被ロック部１２が設けられている。
【００１３】
部品収容孔１１およびカセット２０は、互いに対応した平面視四角形をなしており、四角形の第１の辺に沿った部品収容孔１１の内側壁とカセット２０の外側壁とに、それぞれ被ロック部１２とロック部２２とが、第１の辺の長さより短い幅で設けられている。つまり、部品収容孔１１の内周壁は、４つの平面状の内側壁１１ａ、１１ｂ、１１ｃ、１１ｄによって構成されており、その１つの内側壁１１ａに被ロック部１２が設けられ、それに対応するカセット２０の外側壁にロック部２２が突設されている。
【００１４】
カセット２０を箱本体１０の部品収容孔１１に取り付けるには、予めカセット２０の下部に電線３０が付いているので、まず、図４（ａ）、（ｂ）に示すように、カセット２０を、部品収容孔１１に下側（一方側）から上側（他方側）へ向けて貫通させる（矢印Ａの操作）。
【００１５】
その際、図３（ａ）に示すように、カセット２０側のロック部２２は外側に出っ張っているので、そのロック部２２を通過させることができる隙間Ｓ１をカセット２０との間に確保できるように、部品収容孔１１の対向２面（内側壁１１ａ、１１ｂ）間の寸法を大きめに設定している。
【００１６】
そして、部品収容孔１１を通して箱本体１０の上側にカセット２０を通過させたら、次に図４（ｃ）の矢印Ｂで示すように、カセット２０を部品収容孔１１に上から下に向けて挿入することにより、カセット２０の外側壁に突設したロック部２２を、部品収容孔１１の内側壁１１ａに設けた被ロック部１２に、上から下へ向けて差し込み係合させる。これにより、部品収容孔１１にカセット２０を固定することができる。後は、図４（ｄ）に示すように、任意の段階でリレー４０をカセット２０に装着すればよい。
【００１７】
ところで、図３、図４の比較例においては、カセット２０の外壁面に突設したロック部２２を通過させるために、部品収容孔１１の対向２面（内側壁１１ａ、１１ｂ）間の寸法を大きめに設定しているので、図３（ｂ）に示すように、カセット２０をロックした状態において、カセット２０の背部（ロック部２２と反対側）に隙間Ｓ２ができてしまう。
【００１８】
この隙間Ｓ２は、カセット２０の組み付け後の状態においては無用の隙間であり、ロック部２２と被ロック部１２でカセット２０が片持支持されている場合、その隙間Ｓ２分だけ動き代があることによって、ロック部２２と被ロック部１２を支点としてカセット２０が回転してしまい、その結果、ロック部２２や被ロック部１２に過大な力が作用して、最悪の場合、ロック部２２や被ロック部１２が破損するおそれが考えられる。
【００１９】
そこで、このようなおそれを解消するものとして、図１、図２に示す本実施形態を提案している。
【００２０】
即ち、図１に示すように、部品収容孔１１の内側壁に、正規の取付向きと別の向きに回転させた姿勢で、カセット２０を部品収容孔１１に下から上へ向けて貫通させるときに、カセット２０の外側壁のロック部２２の通過を許す凹部１３を設けており、その凹部１３の両側の壁面１４を、カセット２０の外側壁を支える壁面として、部品収容孔１１の内側へ張り出させている。
【００２１】
特に、本実施形態では、部品収容孔１１およびカセット２０が平面視左右対称な四角形をなしており、四角形の第１の辺に沿った第１の内側壁１１ａに被ロック部１２が設けられ、それと対向する第２の辺に沿った第２の内側壁１１ｂに、カセット２０の外側壁のロック部２２の通過を許す凹部１３が、第２の辺の長さより短い幅で形成されている。また、その第２の辺の長さの範囲内における凹部１３の両側の壁面が、カセット２０の外側壁を支える壁面１４として、部品収容孔１１の内側へ張り出している。
【００２２】
このように構成したことにより、図１（ａ）、図２（ａ）、（ｂ）に示すように、カセット２０の向きを正規の取付向きから１８０度回転させた姿勢で、部品収容孔１１の凹部１３の位置にカセット２０のロック部２２を合わせることにより、カセット２０を部品収容孔１１に下側から上側へ向けて貫通させることができる（矢印Ａの操作）。
【００２３】
次いで、上側に抜けた段階で、図２（ｃ）に示すように、カセット２０の向き正規の取付向きに向き直して、その状態で図２（ｄ）に示すように、カセット２０を上側から部品収容孔１１に挿入し（矢印Ｂの操作）、カセット２０の外側壁に突設したロック部２２を、部品収容孔１１の内側壁に設けた被ロック部１２に差し込み係合させる。それにより、カセット２０を箱本体１０の部品収容孔１１に取り付けることができる。
【００２４】
この状態において、図１（ｂ）、図２（ｅ）に示すように、ロック部２２と反対側にある凹部１３の両側の壁面１４がカセット２０を支える壁面として内側に張り出しているので、カセット２０と部品収容孔１１の間に無用な隙間ができなくなる。つまり、凹部１３の両側の壁面１４がカセット２０をバックアップするので、ロック部２２で片持支持されているカセット２０を安定保持することができる。従って、ロック部２２でカセット２０が片持支持されている場合は、図２（ｅ）中矢印Ｃで示すようなロック部２２を支点とした回転力が働くが、それに対抗することができ、リレー４０を装着する際に過大な力が作用した場合にも、ロック部２２の破損を防ぐことができる。
【００２５】
尚、本発明は、前述した実施形態に限定されるものではなく、適宜、変形、改良、組み合わせ、等が可能である。その他、前述した実施形態における各構成要素の材質、形状、寸法、数値、形態、数、配置箇所、等は本発明を達成できるものであれば任意であり、限定されない。
【００２６】
例えば、上記実施形態では、被ロック部１２と対抗する内側壁１１ｂに凹部１３を設けた場合を示したが、他の内側壁１１ｃ、１１ｄに凹部１３を設けてもよい。その場合は、カセット２０に加える捩り（向きの変更のための回転）を小さくできるので、より有利となる。
【図面の簡単な説明】
【００２７】
【図１】本発明の実施形態の平面図であって、（ａ）はカセット貫通時の姿勢、そして（ｂ）はロック時の姿勢を示す図である。
【図２】本発明の実施形態の組み付け手順説明図である。
【図３】本発明の有効性を説明するために示す比較例の平面図であって、（ａ）はカセット貫通時の姿勢、そして（ｂ）はロック時の姿勢を示す図である。
【図４】図３の比較例の組み付け手順説明図である。
【符号の説明】
【００２８】
１０：箱本体
１１：部品収容孔
１１ａ，１１ｂ：内側壁
１２：被ロック部
１３：凹部
１４：壁面
２０：カセット（部品）
２２：ロック部
３０：電線
４０：リレー（他の電気部品）
【図１】
0004606372.tif 000002
【図２】
0004606372.tif 000003
【図３】
0004606372.tif 000004
【図４】
0004606372.tif 000005